【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
各々が無線通信インターフェースを含むと共に患者に対して少なくとも１つの医療サービスを提供するように構成された複数の医療装置と、
前記患者に関連付けられ、前記医療装置の無線通信インターフェースと通信する無線通信インターフェースを含み、且つ、前記医療装置を前記患者と無線で関連付ける患者識別サービスを実行する患者識別装置と、
を有する無線患者ポイントオブケアネットワーク。
【請求項２】
請求項１に記載の無線患者ポイントオブケアネットワークにおいて、前記患者識別装置は少なくとも患者識別子を含む患者情報を記憶し、前記患者識別サービスの実行が前記医療装置に対する前記患者識別子の無線での通知を含む無線患者ポイントオブケアネットワーク。
【請求項３】
請求項２に記載の無線患者ポイントオブケアネットワークにおいて、前記患者識別サービスの実行が、前記患者識別装置に記憶された患者ネットワークプロファイルの、当該無線患者ポイントオブケアネットワークにおける前記医療装置の各々に関する情報及び各医療装置により提供される医療サービスに関する情報による更新を更に含む無線患者ポイントオブケアネットワーク。
【請求項４】
請求項１に記載の無線患者ポイントオブケアネットワークにおいて、前記患者識別装置の無線通信インターフェースが、
前記複数の医療装置の無線通信インターフェースと通信するように構成された第１無線通信インターフェースと、
前記第１無線通信インターフェースとは異なる無線ネットワークインターフェースと、
を含み、前記患者識別装置は前記第１無線通信インターフェースを使用して前記医療装置からデータを受信すると共に、該受信されたデータを前記無線ネットワークインターフェースを介して患者記録格納部に中継する無線患者ポイントオブケアネットワーク。
【請求項５】
請求項４に記載の無線患者ポイントオブケアネットワークにおいて、
前記無線通信インターフェースはブルートゥース無線通信プロトコル及びジグビー無線通信プロトコルのうちの一方を使用し、
前記無線ネットワークインターフェースは無線ローカルエリアネットワーク（ＷＬＡＮ）プロトコルを使用する、
無線患者ポイントオブケアネットワーク。
【請求項６】
請求項１に記載の無線患者ポイントオブケアネットワークにおいて、前記患者識別装置が前記複数の医療装置の各々に関する情報を含む患者ネットワークプロファイルを記憶する無線患者ポイントオブケアネットワーク。
【請求項７】
請求項６に記載の無線患者ポイントオブケアネットワークにおいて、前記患者識別装置が、
記憶されたソフトウェアと、
前記記憶されたソフトウェアのうちの少なくとも選択された部分を選択的に実行して、少なくとも（ｉ）前記無線患者ポイントオブケアネットワークに医療装置を追加するための前記患者ネットワークプロファイルの更新、及び（ii）前記患者ポイントオブケアネットワークから前記医療装置のうちの１つを削除するための前記患者ネットワークプロファイルの更新を含む選択された患者ネットワークサービスを実施するプロセッサと、
を含む無線患者ポイントオブケアネットワーク。
【請求項８】
請求項７に記載の無線患者ポイントオブケアネットワークにおいて、前記プロセッサにより実施される前記更新が、（ｉ）最近の新たな医療装置の無線での検出、及び（ii）前記無線患者ポイントオブケアネットワークにおける前記医療装置のうちの１つの削除又は該１つとの通信の停止の無線での検出を含む無線患者ポイントオブケアネットワーク。
【請求項９】
請求項６に記載の無線患者ポイントオブケアネットワークにおいて、前記患者識別装置が、
記憶されたソフトウェアと、
前記記憶されたソフトウェアのうちの少なくとも選択された部分を選択的に実行して、前記患者ネットワークプロファイルに医療装置を選択的に追加するか又は該患者ネットワークプロファイルから医療装置を削除するための前記無線通信インターフェースを介しての関連するユーザとの通信を少なくとも含む選択された患者ネットワークサービスを実施するプロセッサと、
を含む無線患者ポイントオブケアネットワーク。
【請求項１０】
請求項６に記載の無線患者ポイントオブケアネットワークにおいて、前記患者識別装置が、
記憶されたソフトウェアと、
前記記憶されたソフトウェアのうちの少なくとも選択された部分を選択的に実行して、（ｉ）前記無線通信インターフェースを介して患者情報を受信すると共に（ii）該受信された患者情報を前記無線通信インターフェースを介して関連する患者記録格納部に伝送し、これにより該関連する患者記録格納部に新たな患者記録を作成するプロセッサと、
を含む無線患者ポイントオブケアネットワーク。
【請求項１１】
請求項１に記載の無線患者ポイントオブケアネットワークにおいて、前記患者識別装置が、少なくとも１つの医療サービスを実行する手段を更に含んでいる無線患者ポイントオブケアネットワーク。
【請求項１２】
請求項１に記載の無線患者ポイントオブケアネットワークにおいて、前記患者識別装置が前記患者により装着される無線患者ポイントオブケアネットワーク。
【請求項１３】
請求項１に記載の無線患者ポイントオブケアネットワークと、
前記患者に関連付けられた患者記録を格納する患者記録格納部であって、前記患者記録が前記無線通信インターフェースの１以上を介して前記無線患者ポイントオブケアネットワークから受信されたデータを少なくとも記憶する患者記録格納部と、
を有する患者ポイントオブケアシステム。
【請求項１４】
請求項１３に記載の患者ポイントオブケアシステムにおいて、前記患者識別装置に患者情報を伝送する手段を更に含み、該患者情報は次いで前記患者識別装置から前記患者記録格納部へ前記患者識別装置の無線通信インターフェースを介して伝送され、これにより前記患者記録を作成する患者ポイントオブケアシステム。
【請求項１５】
請求項１４に記載の患者ポイントオブケアシステムにおいて、前記患者情報を伝送する手段が、（ｉ）患者医療カード及び来客カードのうちの一方から前記患者情報を読み取ると共に（ii）該読み取られた患者情報を前記患者識別装置へ伝送するカード読取器を含む患者ポイントオブケアシステム。
【請求項１６】
請求項１３に記載の患者ポイントオブケアシステムにおいて、（ｉ）前記患者識別装置及び（ii）前記患者記録格納部の患者記録のうちの少なくとも一方に記憶される患者ネットワークプロファイルを更に含み、該患者ネットワークプロファイルは前記無線患者ポイントオブケアネットワークにおける前記医療装置の各々に関する情報を含むと共に、医療装置が前記無線患者ポイントオブケアネットワークに追加され又は該無線患者ポイントオブケアネットワークから削除された場合に更新される患者ポイントオブケアシステム。
【請求項１７】
各々が無線通信インターフェースを含むと共に少なくとも１つの医療サービスを提供する複数の医療装置を用いて関連する患者に医療サービスを提供するステップと、
前記医療装置の各々を前記患者に無線で関連付けるために、前記医療装置と無線で通信する患者識別装置を用いて患者識別サービスを実行するステップと、
を有する患者ポイントオブケア方法。
【請求項１８】
請求項１７に記載の患者ポイントオブケア方法において、
前記患者識別装置を前記患者に取り付けるステップと、
前記患者識別装置に、少なくとも各医療装置に関する識別情報と各医療装置が提供する１以上の医療サービスに関する情報とを含む更新可能な患者ネットワークプロファイルを保持するステップと、
を更に含む患者ポイントオブケア方法。
【請求項１９】
請求項１８に記載の患者ポイントオブケア方法において、前記患者ネットワークプロファイルが前記患者に関する情報を更に含み、当該方法が、
前記患者に関する情報を前記患者識別装置から関連する患者記録格納部に無線で伝送して、該患者記録格納部に前記患者に対応する新たな患者記録を作成するステップと、
前記医療装置により発生されたデータを前記新たな患者記録に無線で伝送するステップと、
を更に含む患者ポイントオブケア方法。
【請求項２０】
請求項１９に記載の患者ポイントオブケア方法において、前記患者に関する情報を格納した患者医療カード及び来客カードのうちの一方を読み取るステップを更に有し、該読み取られた情報が前記患者識別装置に伝送される患者ポイントオブケア方法。
【請求項２１】
請求項１８に記載の患者ポイントオブケア方法において、
前記患者ネットワークプロファイルに追加されるべき新たな医療装置を検出するステップと、
該新たな医療装置と無線で通信する前記患者識別装置を用いて前記患者識別サービスを繰り返して、該新たな医療装置を前記患者に無線で関連付けるステップと、
を更に含む患者ポイントオブケア方法。
【請求項２２】
請求項１８に記載の患者ポイントオブケア方法において、
前記複数の医療装置のうちの削除された又は不能化された医療装置との通信の喪失を検出するステップと、
前記削除され又は不能化された医療装置に関する識別情報を削除するように前記患者識別装置における前記患者ネットワークプロファイルを更新するステップと、
を更に含む患者ポイントオブケア方法。
【請求項２３】
請求項１８に記載の患者ポイントオブケア方法において、前記患者ネットワークプロファイルから対応する患者記録格納部への情報を記録して、関連する患者に提供された医療サービスの連続した記録を発生させるステップを更に含む患者ポイントオブケア方法。